(57)【要約】【課題】自動でＵＲＬによるネットワークアクセスを行い、アクセス先のコンテンツ情報を印刷できるＬモードサービス対応の電話装置を提供する。【解決手段】この電話装置では、予めＵＲＬ、接続開始時刻、プリントＯＮ／ＯＦＦ等の項目の内容をアクセス情報として設定してアクセス情報記憶部２３に登録しておく。制御部２２は、アクセス情報記憶部２３のアクセス情報を参照し、設定された接続開始時刻になると、モデム２１及び電話回線７を通じて、ネットワーク上の対応するＵＲＬのサーバ装置にアクセスする。そして、サーバ装置が提供する当該ＵＲＬ上のコンテンツ情報を取得し、取得情報記憶部２４に記憶する。このＵＲＬに対応するプリント設定がＯＮになっている場合、取得したコンテンツ情報をプリンタ部２５で印刷する。また、プリント設定がＯＦＦであっても、取得したコンテンツ情報をＬＣＤ部２６に表示する。【選択図】　図１
2004139529.tif 000002
【特許請求の範囲】
【請求項１】
コンテンツ指定情報を基に、電話回線を通じてネットワークに接続された情報処理装置にアクセスし、前記情報処理装置より提供されるコンテンツ情報を取得する電話装置であって、
前記ネットワークを介して目的の情報処理装置と通信を行う通信手段と、
前記コンテンツ指定情報とこのコンテンツ指定情報による接続開始時刻を表す時間情報とを含むアクセス情報を記憶するアクセス情報記憶手段と、
前記アクセス情報を参照して、前記時間情報において設定された接続開始時刻に達した場合、この接続開始時刻に対応するコンテンツ指定情報に基づき、前記通信手段により目的の情報処理装置にアクセスし、前記コンテンツ指定情報によって指定されたコンテンツ情報を取得するコンテンツ情報取得手段と、
前記取得したコンテンツ情報を記憶する取得情報記憶手段と、
を備えたことを特徴とする電話装置。
【請求項２】
前記アクセス情報記憶手段は、前記アクセス情報として複数のコンテンツ指定情報及び時間情報を記憶可能であることを特徴とする請求項１に記載の電話装置。
【請求項３】
前記時間情報は、前記接続開始時刻として、１日当たり複数回に設定された時刻、または任意の曜日に設定された時刻を含むことを特徴とする請求項１または２に記載の電話装置。
【請求項４】
前記アクセス情報は、前記コンテンツ指定情報毎に印刷の有無を設定する印刷設定情報を含み、
前記印刷設定情報に基づき、印刷有りに設定されたコンテンツ指定情報を基に取得したコンテンツ情報を印刷する印刷手段を備えたことを特徴とする請求項１に記載の電話装置。
【請求項５】
前記取得したコンテンツ情報を表示する表示手段を備えたことを特徴とする請求項１に記載の電話装置。
【請求項６】
前記アクセス情報記憶手段に記憶するアクセス情報を登録するための設定入力を行う情報登録手段を備えたことを特徴とする請求項１に記載の電話装置。
【請求項７】
前記コンテンツ指定情報に基づくコンテンツ情報の取得動作の実行停止を指示するための指示入力を行う実行停止指示手段を備えたことを特徴とする請求項１に記載の電話装置。
【請求項８】
コンテンツ指定情報を基に、電話回線を通じてネットワークに接続された情報処理装置にアクセスし、前記情報処理装置に記憶されているコンテンツ情報を取得する電話装置のコンテンツ情報取得方法であって、
前記コンテンツ指定情報とこのコンテンツ指定情報による接続開始時刻を表す時間情報とを含むアクセス情報を設定して記憶するアクセス情報登録ステップと、
前記アクセス情報を参照して、前記時間情報において設定された接続開始時刻に達した場合、この接続開始時刻に対応するコンテンツ指定情報に基づき、目的の情報処理装置にアクセスして前記コンテンツ指定情報によって指定されたコンテンツ情報を取得するコンテンツ情報取得ステップと、
前記取得したコンテンツ情報を記憶する取得情報記憶ステップと、
を有することを特徴とするコンテンツ情報取得方法。
【発明の詳細な説明】
【０００１】
【発明の属する技術分野】
本発明は、電話回線を通じてネットワークに接続された情報処理装置にアクセスし、この情報処理装置が提供するコンテンツ情報を取得する電話装置及びそのコンテンツ情報取得方法に関する。
【０００２】
【従来の技術】
従来、この種の電話装置として、Ｌモードサービス対応の電話装置が知られている。ここで、Ｌモード（登録商標）サービスとは、ＮＴＴドコモ（株）が同社の携帯電話向けに提供しているｉモード（登録商標）サービスの固定電話版とも言えるサービスであり、アナログ電話回線通信技術を用い、コンピュータを内蔵した専用の固定電話機を、電話回線やＩＳＤＮ回線を通じてインターネットに接続し、サービス提供用のサーバ装置を介してＷＷＷ（Ｗｏｒｌｄ　Ｗｉｄｅ　Ｗｅｂ）で構成されたホームページの閲覧、電子メールのやり取りなどを行うサービスである。このサービスは現在、ＮＴＴ地域会社（ＮＴＴ東日本（株）、ＮＴＴ西日本（株））によって運営されている。
【０００３】
また、無線携帯端末では、インターネットのホームページを閲覧可能なものが相当数出回っており、これらの中には、現在の日時が自動接続条件に合致すると、登録されたアドレス（ＵＲＬ）に接続してそのホームページ情報を取得するものが知られている（例えば、特許文献１参照）。
【０００４】
【特許文献１】
特開２００１−１０１１１６号公報
【０００５】
【発明が解決しようとする課題】
しかしながら、上記従来のＬモードサービス対応の電話装置では、コンテンツ情報を得るためにサーバ装置にアクセスを行う際、必ず手動でＵＲＬ等のアドレスを入力しなければならず、その入力に手間がかかっていた。
【０００６】
本発明は、上記課題を解決するためになされたもので、その目的は、自動でＵＲＬによるネットワークアクセスを行うことができるＬモードサービス対応の電話装置及びそのコンテンツ情報取得方法を提供することにある。
【０００７】
【課題を解決するための手段】
本発明に係る電話装置は、コンテンツ指定情報を基に、電話回線を通じてネットワークに接続された情報処理装置にアクセスし、前記情報処理装置より提供されるコンテンツ情報を取得する電話装置であって、前記ネットワークを介して目的の情報処理装置と通信を行う通信手段と、前記コンテンツ指定情報とこのコンテンツ指定情報による接続開始時刻を表す時間情報とを含むアクセス情報を記憶するアクセス情報記憶手段と、前記アクセス情報を参照して、前記時間情報において設定された接続開始時刻に達した場合、この接続開始時刻に対応するコンテンツ指定情報に基づき、前記通信手段により目的の情報処理装置にアクセスし、前記コンテンツ指定情報によって指定されたコンテンツ情報を取得するコンテンツ情報取得手段と、前記取得したコンテンツ情報を記憶する取得情報記憶手段とを備えたことを特徴とする。
【０００８】
上記構成により、コンテンツ指定情報及び接続開始時刻等のアクセス情報を設定登録しておくことで、設定された接続開始時刻になると自動的にコンテンツ指定情報によるネットワークアクセスを行うことができ、コンテンツ指定情報によって指定されたアクセス先のコンテンツ情報を取得して印刷することが可能となる。この場合、アクセスの度に手動操作でコンテンツ指定情報を入力する必要なく、目的のコンテンツ情報にアクセスして取得するまでの一連の作業を自動で行うことが可能である。
【０００９】
また、前記アクセス情報記憶手段は、前記アクセス情報として複数のコンテンツ指定情報及び時間情報を記憶可能であることを特徴とする。
【００１０】
この構成により、例えばニュース、天気予報、株価情報、料理情報、趣味情報など、希望する複数のコンテンツ情報を容易に入手できる。
【００１１】
また、前記時間情報は、前記接続開始時刻として、１日当たり複数回に設定された時刻、または任意の曜日に設定された時刻を含むことを特徴とする。
【００１２】
この構成により、時々刻々と変わるコンテンツ情報であっても、設定した時間毎に最新情報を取得することができる。
【００１３】
また、前記アクセス情報は、前記コンテンツ指定情報毎に印刷の有無を設定する印刷設定情報を含み、前記印刷設定情報に基づき、印刷有りに設定されたコンテンツ指定情報を基に取得したコンテンツ情報を印刷する印刷手段を備えたことを特徴とする。
【００１４】
この構成により、印刷手段を設けることで取得したコンテンツ情報を印刷するまでの作業を自動で行うことが可能である。また、紙等に印刷出力する必要のないコンテンツ情報の場合、印刷しない設定として紙の消費を減らすことができる。
【００１５】
また、前記取得したコンテンツ情報を表示する表示手段を備えたことを特徴とする。
【００１６】
この構成により、取得したコンテンツ情報を表示によって瞬時に視認することができる。また、前記印刷手段と組み合わせることで、例えば家にいる場合や紙等に印刷出力する必要のないコンテンツ情報の場合、表示のみに設定することで無駄な紙の消費を減らすことができる。
【００１７】
また、前記アクセス情報記憶手段に記憶するアクセス情報を登録するための設定入力を行う情報登録手段を備えたことを特徴とする。
【００１８】
この構成により、使用者が任意にコンテンツ指定情報や接続開始時刻等のアクセス情報を設定登録できる。
【００１９】
また、前記コンテンツ指定情報に基づくコンテンツ情報の取得動作の実行停止を指示するための指示入力を行う実行停止指示手段を備えたことを特徴とする。
【００２０】
この構成により、コンテンツ情報の取得動作の実行停止を指示または設定することで、アクセス情報が設定されている場合であっても、アクセス実行を容易に停止できるので、不要なアクセスを防止でき、例えば旅行などで外出している際の通信費を削減できる。
【００２１】
本発明に係るコンテンツ情報取得方法は、コンテンツ指定情報を基に、電話回線を通じてネットワークに接続された情報処理装置にアクセスし、前記情報処理装置に記憶されているコンテンツ情報を取得する電話装置のコンテンツ情報取得方法であって、前記コンテンツ指定情報とこのコンテンツ指定情報による接続開始時刻を表す時間情報とを含むアクセス情報を設定して記憶するアクセス情報登録ステップと、前記アクセス情報を参照して、前記時間情報において設定された接続開始時刻に達した場合、この接続開始時刻に対応するコンテンツ指定情報に基づき、目的の情報処理装置にアクセスして前記コンテンツ指定情報によって指定されたコンテンツ情報を取得するコンテンツ情報取得ステップと、前記取得したコンテンツ情報を記憶する取得情報記憶ステップとを有することを特徴とする。
【００２２】
上記手順により、コンテンツ指定情報及び接続開始時刻等のアクセス情報を設定登録しておくことで、設定された接続開始時刻になると自動的にコンテンツ指定情報によるネットワークアクセスを行い、所望のコンテンツ情報を取得するまでの一連の作業を自動で行うことが可能となり、手動入力などを行う手間を無くし、操作性を向上できる。
【００２３】
【発明の実施の形態】
以下、図面を参照して本発明の実施形態を説明する。
［第１実施形態］
図１は本発明の第１実施形態に係る電話装置の構成を示すブロック図である。本実施形態の電話装置１は、一般に普及した広域のネットワークであるインターネットに接続された情報処理装置であるサーバ装置に電話回線を通じてアクセスし、このサーバ装置に保存されているホームページ（ＷＷＷページ）等のコンテンツ情報を取得可能なＬモードサービス対応の電話機である。情報取得のためにサーバ装置にアクセスする際には、ＵＲＬ（Ｕｎｉｆｏｒｍ　Ｒｅｓｏｕｒｃｅ　Ｌｏｃａｔｏｒ）で表されるネットワーク上のアドレスによって、ネットワークを介して目的のサーバ装置に接続するようになっている。
【００２４】
この電話装置１は、電話機能部３及びモデム機能部５を有して構成される。電話機能部３には、ＰＳＴＮ網などの公衆回線である電話回線７に接続された着信検出回路１１、制御部１２、呼出音出力部１３、スピーカ１４、同じく電話回線７に接続された通話回路１５、送受話器１６が設けられている。また、モデム機能部５には、モデム２１、制御部２２、アクセス情報記憶部２３、取得情報記憶部２４、プリンタ部２５、表示部であるＬＣＤ部２６、パネル設定部２７が設けられている。
【００２５】
電話機能部３において、通話回路１５は電話回線（局線）７を通じて送受話器１６により通話される音声信号を処理する。着信信号検出部１１は、電話回線７を通じて入力される着信信号を検出する。制御部１２は電話機能部３の各部を制御するとともに、着信検出回路１１によって着信信号が検出された場合、呼出音出力部１３を駆動する。呼出音出力部１３はスピーカ１４から呼出音を出力させ、着呼があったことを報知する。
【００２６】
モデム機能部５において、パネル設定部２７は複数のキーを有し、使用者のキー操作に基づいてアクセス先のＵＲＬ、接続開始時刻等を設定するための設定入力を行う。アクセス情報記憶部２３は予め設定されたＵＲＬ、接続開始時刻等のアクセス情報を、後述する設定テーブルの形式で記憶する。モデム２１は電話回線７に接続され、ＵＲＬで指定したアドレスにアクセスして接続先のサーバ装置が提供するコンテンツ情報を取得するためにＬモードによるデータ通信を行う。取得情報記憶部２４は取得されたコンテンツ情報を記憶する。プリンタ部２５は取得されたコンテンツ情報等を印刷する。ＬＣＤ部２６は取得されたコンテンツ情報等をディスプレイ画面上に表示する。制御部２２はこれら各部の制御を司る。
【００２７】
ここで、モデム２１は特許請求の範囲に記載の通信手段に相当する。また、アクセス情報記憶部２３は特許請求の範囲に記載のアクセス情報記憶手段に相当する。また、制御部２２は特許請求の範囲に記載のコンテンツ情報取得手段の機能を有している。また、取得情報記憶部２４は特許請求の範囲に記載の取得情報記憶手段に相当する。また、プリンタ部２５は特許請求の範囲に記載の印刷手段に相当する。また、ＬＣＤ部２６は特許請求の範囲に記載の表示手段に相当する。また、パネル設定部２７は特許請求の範囲に記載の情報登録手段及び実行停止指示手段の機能を有している。
【００２８】
次に、上記構成を有する電話装置の動作を説明する。図２はＵＲＬ、接続開始時刻等のアクセス情報の設定処理手順を示すフローチャートである。この設定処理プログラムは制御部２２内のＲＯＭに格納されており、同じく制御部２２内のＣＰＵによって、パネル設定部２７に配置された設定開始キー（図示せず）が押下される度に割り込み処理として実行される。
【００２９】
まず、アクセス先のＵＲＬ、接続開始時刻等が登録されたアクセス情報の設定テーブルをアクセス情報記憶部２３から読み込む（ステップＳ１）。図３はＬＣＤ部２６に表示された状態での設定テーブルの内容を示す説明図である。この設定テーブルには、アクセス情報として、アクセス先を指定するためのＵＲＬ、曜日（または日付）、接続開始時刻、プリントＯＮ／ＯＦＦ、アクセスＯＮ／ＯＦＦの５つの項目が予約番号（１、２、…、Ｎ）毎に設けられて記憶されている。ここで、ＵＲＬは特許請求の範囲に記載のコンテンツ指定情報に相当する。また、曜日及び接続開始時刻は特許請求の範囲に記載の時間情報に相当する。また、プリントＯＮ／ＯＦＦの項目は特許請求の範囲に記載の印刷設定情報に相当する。
【００３０】
そして、アクセス情報を設定するために、使用者がパネル設定部２７に配置された設定入力キー（情報登録手段）を使い、設定したい内容に合わせて設定テーブルの各項目の内容を変更する（ステップＳ２）。例えば、曜日の項目では、日付を直接指定可能である他、「毎日」、「月〜金」、「月〜土」等の設定も可能である。また、接続開始時刻の項目では、時刻を直接指定可能である他、「４時間経過毎」、「５０分経過毎」など、所定時間経過毎の設定が可能である。さらに、プリントＯＮ／ＯＦＦの項目では、印刷の有無を設定可能である。アクセスＯＮ／　ＯＦＦの項目では、接続開始時刻になったときに、該当するＵＲＬにアクセスするか否かを予約番号毎に設定可能である。
【００３１】
ステップＳ２で設定テーブルの内容が変更されると、パネル設定部２７に配置された設定完了キー（図示せず）の押下を監視し、設定済みであるか否かを判別する（ステップＳ３）。設定済みである場合、新規入力や変更等が行われた設定テーブルの内容をアクセス情報記憶部２３に記憶し、本設定処理を終了する。一方、設定済みでない場合、ステップＳ２の処理に戻る。
【００３２】
図４は接続先へのアクセス処理手順を示すフローチャートである。このアクセス処理プログラムは制御部２２内のＲＯＭに格納されており、同じく制御部２２内のＣＰＵによって一定周期（例えば、３０秒）毎に実行される。
【００３３】
まず、アクセス情報記憶部２３に記憶された設定テーブルを参照し（ステップＳ１１）、各予約番号の中で接続開始時刻に達したものがあるか否かを判別する（ステップＳ１２）。接続開始時刻に達しているものがない場合、達するまでステップＳ１２の処理を繰り返し、接続開始時刻に達すると、そのＵＲＬに対応するアクセスが禁止されているか否かを判別する（ステップＳ１３）。
【００３４】
ここで、アクセスの禁止は２通りの方法で行われる。その１つの方法として、前述した設定テーブルにおけるアクセスＯＮ／ＯＦＦの項目にＯＦＦを設定することで、各ＵＲＬ毎に個別に設定可能である。もう１つの方法として、パネル設定部２７に設けられた図示しないアクセス禁止／再開ボタン（実行停止指示手段）をＯＦＦに設定するスイッチ操作を行うことで、設定テーブルのアクセスＯＮ／ＯＦＦの設定内容にかかわらず、全てのアクセスを禁止することができる。このようにアクセス禁止を一斉に行うことで、例えば、旅行などで外出する際の通信料を削減できる。
【００３５】
ステップＳ１３でアクセスが禁止されている場合、ステップＳ１２の処理に戻る。一方、アクセスが禁止されていない（許可されている）場合、接続開始時刻に達した予約番号において設定登録されたＵＲＬにモデム２１を用いてアクセスし、そのアクセス先のサーバ装置が提供する該当ＵＲＬ上のコンテンツ情報（インターネット上のホームページ情報）を取得する。そして、取得したコンテンツ情報を取得情報記憶部２４に記憶する（以上、ステップＳ１４）。
【００３６】
この後、アクセス情報記憶部２３に記憶された設定テーブルのプリントＯＮ／ＯＦＦの項目を参照し、プリント処理がＯＮ（プリント実行、印刷有り）に設定されているか否かを判別する（ステップＳ１５）。プリント実行に設定されている場合、前記取得したコンテンツ情報、または取得情報記憶部２４に一旦記憶したコンテンツ情報を印刷し（ステップＳ１６）、このアクセス処理を終了する。なお、ステップＳ１６でコンテンツ情報を印刷すると共に、ＬＣＤ部２６に取得したコンテンツ情報を表示してもよい。
【００３７】
一方、ステップＳ１５でプリント処理がＯＦＦ（プリント不実行、印刷無し）に設定されている場合、取得したコンテンツ情報を印刷することなく、ＬＣＤ部２６に表示し（ステップＳ１７）、コンテンツ情報の表示のみで本アクセス処理を終了する。
【００３８】
上記のように、第１実施形態のＬモードサービス対応の電話装置では、予め、ＵＲＬ、接続開始時刻等のアクセス情報を設定テーブルに登録しておくだけで、情報取得のためにサーバ装置へアクセスを行う度に、手動でＵＲＬ入力を行わなくても済み、煩雑な操作の手間をなくすことができる。この場合、設定情報に従って自動でＵＲＬによるアクセスを行い、そのＵＲＬ上で提供されるコンテンツ情報を取得して印刷するまでの一連の作業を自動で行うことができる。
【００３９】
また、ニュース、天気予報、株価情報、料理情報、趣味情報など、希望する複数のコンテンツ情報を自動で入手できる。さらに、時々刻々と変わるコンテンツ情報を所定時間毎に取り出すことができる。また、紙に出力する必要のないコンテンツ情報の場合、表示のみとして無駄な紙の消費を減らすことができる。例えば、家に居る場合、ＬＣＤ画面上でコンテンツ情報を確認できるので、紙の消費を減らせる。さらに、アクセス禁止／再開ボタンの操作などによってコンテンツ情報取得のためのアクセスを簡単に停止できるので、旅行などで外出している際の通信費を削減できる。
【００４０】
［第２実施形態］
図５は本発明の第２実施形態に係る電話装置の構成を示すブロック図である。第２実施形態における電話装置３１は、前記第１実施形態と同様、Ｌモードサービス対応の電話機であり、電話機能部３及びモデム機能部３５を有して構成される。ここで、前記第１実施形態と同一の構成要素については同一の符号を用いて説明を省略する。
【００４１】
第２実施形態では、電話装置本体内にプリンタ部を設ける代わりに、モデム機能部３５にプリンタインタフェース（Ｉ／Ｆ）２８を設け、このプリンタＩ／Ｆ２８に外部のプリンタ装置４１が接続可能となっている。このプリンタ装置４１は、前記第１実施形態のプリンタ部２５と同様、取得されたコンテンツ情報を印刷するものである。また、モデム機能部３５にパネル設定部２７の他、外部インタフェース２９が設けられており、この外部インタフェース２９を介してリモコン４２が接続される。このリモコン４２のボタン操作は、パネル設定部２７のボタン操作と略同一の機能を有する。すなわち、使用者はパネル設定部２７を用いて、前述した設定テーブルの変更操作やアクセス禁止／再開操作等を行ってもよいし、リモコン４２を用いて同様の操作を行ってもよい。
【００４２】
なお、外部インタフェース２９とリモコン４２との間は、ＩｒＤＡ等の赤外線インタフェース、ＲＳ２３２Ｃ等のシリアルインタフェース、ＵＳＢインタフェース、Ｂｌｕｅｔｏｏｔｈ等の無線インタフェースなどによってデータ転送を行うことが可能である。また、リモコン４２として、電話機専用のリモコンの他、親機と送受信を行う電話装置の子機であってもよいし、一般的な携帯情報端末（ＰＤＡ）あるいはノート型ＰＣに専用のソフトウェアをインストールして電話装置本体とデータのやり取りを行えるようにしたものでもよい。
【００４３】
第２実施形態におけるアクセス情報の設定動作及びＵＲＬによるアクセス動作は、プリンタ装置４１及びリモコン４２を用いる以外、前記第１実施形態と同様であるので、その説明を省略する。
【００４４】
このように、第２実施形態では、電話装置本体の構成を簡単にすることで、小型化が可能である。また、接続されるプリンタ装置は、例えばカラープリンタ、モノクロプリンタ、オートカット機能付きプリンタなど、その種類の選択は任意である。さらに、リモコンを用いることで、ＵＲＬ、接続開始時刻等のアクセス情報の入力を遠隔操作できる。
【００４５】
上述した本実施形態によれば、ＵＲＬ及び接続開始時刻等のアクセス情報を設定登録しておくことで、所定時刻に自動的にＵＲＬによるネットワークアクセスを行うことができ、アクセス先のコンテンツ情報を取得して印刷することが可能となる。この場合、アクセスの度に手動操作でＵＲＬ入力を行うことなく、目的のＵＲＬにアクセスすることができ、コンテンツ情報を取得して印刷するまでの一連の作業を自動で行うことが可能である。また、使用者が所望する複数のコンテンツ情報を容易に入手できる。さらに、時々刻々と変わるコンテンツ情報であっても、設定した時間毎に最新情報を取得することができる。また、プリントする必要がないコンテンツ情報の場合は表示のみに設定することで、無駄な紙の消費を減らすことができる。さらに、アクセス停止を設定や操作によって容易に行うことができるので、不要なアクセスを防止して通信費を削減できる。
【００４６】
【発明の効果】
以上説明したように本発明によれば、自動でＵＲＬによるネットワークアクセスを行うことができるＬモードサービス対応の電話装置及びそのコンテンツ情報取得方法を提供することができる。
【図面の簡単な説明】
【図１】本発明の第１実施形態に係る電話装置の構成を示すブロック図
【図２】第１実施形態におけるアクセス情報の設定処理手順を示すフローチャート
【図３】ＬＣＤ部に表示された状態での設定テーブルの内容を示す説明図
【図４】第１実施形態におけるＵＲＬによる接続先へのアクセス処理手順を示すフローチャート
【図５】本発明の第２実施形態に係る電話装置の構成を示すブロック図
【符号の説明】
１、３１　電話装置
３　電話機能部
５、３５　モデム機能部
７　電話回線
２１　モデム
２２　制御部
２３　アクセス情報記憶部
２４　取得情報記憶部
２５　プリンタ部
２６　ＬＣＤ部
２７　パネル設定部
【図１】
2004139529.tif 000003
【図２】
2004139529.tif 000004
【図３】
2004139529.tif 000005
【図４】
2004139529.tif 000006
【図５】
2004139529.tif 000007